【事件の表示】
　特許第２９０１６８８号「複写装置」の請求項１に係る特許に対する特許異議の申立てについて、次のとおり決定する。
【結　論】
　訂正を認める。
　特許第２９０１６８８号の請求項１に係る特許を維持する。
【理　由】
１． 手続の経緯
　本件特許第２９０１６８８号は、平成２年３月１３日に出願したものであって、平成１１年３月１９日にその特許権の設定登録がなされ、その後、小原深美子より特許異議の申立てがなされ、取消理由通知がなされ、その指定期間内である平成１２年５月１６日に訂正請求がなされ、訂正拒絶理由がなされ、その指定期間内である平成１２年８月２８日に手続補正がなされたものである。
　
２． 訂正の適否
ア．訂正の内容
ａ）特許請求の範囲の請求項１に係る記載
「１）　複写モードを設定し、記憶する複写モード設定手段と、
　前記複写モード設定手段で設定された第１の複写モードによる複写動作実行中に第２の複写モードによる複写を予約するための指示を入力する予約指示入力手段と、
　前記予約指示入力手段による指示の入力後上記複写モード設定手段で設定される第２の複写モードを予約複写として設定する予約設定手段と、
　前記第１の複写モードによる複写動作の終了後自動的に前記第２の複写モードによる複写を実行させる制御手段
と
を有し、前記制御手段は、前記予約指示入力手段による指示の入力後前記第２の複写モードの設定操作中に前記第１の複写モードによる複写動作が終了すると、前記第２の複写モードの設定操作を通常の複写モードの設定操作として扱うことを特徴とする複写装置。」
を、
「１）　複写モードを設定し、記憶する複写モード設定手段と、
　前記複写モード設定手段で設定された第１の複写モードによる複写動作実行中に第２の複写モードによる複写を予約するために、前記第２の複写モードの設定開始の指示を入力する予約指示入力手段と、
　前記予約指示入力手段による指示の入力後前記複写モード設定手段で設定される第２の複写モードによる複写を予約複写として設定登録するための指示を入力する予約設定登録指示入力手段と、
　前記予約設定登録指示入力手段による指示の入力により前記第２の複写モードによる複写が予約複写として設定登録された後、前記第１の複写モードによる複写動作が終了すると、自動的に前記第２の複写モードによる複写を実行させる制御手段と
　を有し、前記制御手段は、前記予約指示入力手段による指示の入力後であって前記予約設定登録指示入力手段による指示の入力前の前記第２の複写モードの設定操作中に前記第１の複写モードによる複写動作が終了すると、前記第２の複写モードの設定操作を通常の複写モードの設定操作として扱うことを特徴とする複写装置。」
に訂正する。
　
ｂ）本件特許明細書第３頁第４行〜第１５行
　（本件特許掲載公報第２頁第３欄第３７行〜第５０行）の記載
「本発明に係る複写装置は、複写モードを設定し、記憶する複写モード設定手段と、前記複写モード設定手段で設定された第１の複写モードによる複写動作実行中に第２の複写モードによる複写を予約するための指示を入力する予約指示入力手段と、前記予約指示入力手段による指示の入力後上記複写モード設定設定手段で設定される第２の複写モードを予約複写として設定する予約設定手段と、前記第１の複写モードによる複写動作の終了後自動的に前記第２の複写モードによる複写を実行させる制御手段とを有し、前記制御手段は、前記予約指示入力手段による指示の入力後前記第２の複写モードの設定操作中に前記第１の複写モードによる複写動作が終了すると、前記第２の複写モードの設定操作を通常の複写モード設定操作として扱うものである。」
を、
「本発明に係る複写装置は、複写モードを設定し、記憶する複写モード設定手段と、前記複写モード設定手段で設定された第１の複写モードによる複写動作実行中に第２の複写モードによる複写を予約するために、前記第２の複写モードの設定開始の指示を入力する予約指示入力手段と、前記予約指示入力手段による指示の入力後前記複写モード設定設定手段で設定される前記第２の複写モードによる複写を予約複写として設定登録するための指示を入力する予約設定登録指示入力手段と、前記予約設定登録指示入力手段による指示の入力により前記第２の複写モードによる複写が予約複写として設定登録された後、前記第１の複写モードによる複写動作が終了すると、自動的に前記第２の複写モードによる複写を実行させる制御手段とを有し、前記制御手段は、前記予約指示入力手段による指示の入力後であって前記予約設定登録指示入力手段による指示の入力前の前記第２の複写モードの設定操作中に前記第１の複写モードによる複写動作が終了すると、前記第２の複写モードの設定操作を通常の複写モードの設定操作として扱うものである。」
に訂正する。
　
イ．訂正明細書の請求項１に係る発明
　訂正明細書の請求項１に係る発明は、その特許請求の範囲の請求項１に記載された次のとおりのものである。
特許請求の範囲
「１）　複写モードを設定し、記憶する複写モード設定手段と、
　前記複写モード設定手段で設定された第１の複写モードによる複写動作実行中に第２の複写モードによる複写を予約するために、前記第２の複写モードの設定開始の指示を入力する予約指示入力手段と、
　前記予約指示入力手段による指示の入力後前記複写モード設定手段で設定される第２の複写モードによる複写を予約複写として設定登録するための指示を入力する予約設定登録指示入力手段と、
　前記予約設定登録指示入力手段による指示の入力により前記第２の複写モードによる複写が予約複写として設定登録された後、前記第１の複写モードによる複写動作が終了すると、自動的に前記第２の複写モードによる複写を実行させる制御手段と
　を有し、前記制御手段は、前記予約指示入力手段による指示の入力後であって前記予約設定登録指示入力手段による指示の入力前の前記第２の複写モードの設定操作中に前記第１の複写モードによる複写動作が終了すると、前記第２の複写モードの設定操作を通常の複写モードの設定操作として扱うことを特徴とする複写装置。」
　
ウ．訂正の目的の適否及び拡張・変更の存否
ａ）訂正事項ａは、訂正前の本件請求項１の記載では、「複写モード設定手段」と「予約設定手段」がいずれも第２複写モードを「設定」する構成となっていたために、前者である「複写モード設定手段」による第２の複写モードの設定と、後者である「予約設定手段」による第２の複写モードの設定との差異が明確でなかったことから、
本件特許明細書の実施例に係る記載
「６０２は予約キーであり、予約複写の登録・解除が出来る。予約キー６０２を押すとすでに設定されている複写モードを記憶したまま、それとは異なる複写モードの設定が可能な状態となる。ここで、登録したい複写モードを設定し、設定を終了するときに予約設定キー６０３を押す。これにより、設定した複写モードがＲＡＭ上に記憶される。」
（本件特許掲載公報第４頁第８欄第３５行〜第４１行）
及び
「予約モードになると、複写動作中であるか否かとにかかわらず操作パネル５００の各種キーにより第２の複写モードの設定が出来る。第２の複写モードデータの操作入力後、次いで、予約設定キー６０３を押すと、第２の複写モードの設定が完了する。このとき、設定された第２の複写モードはＲＡＭ８０３（第４図参照）に記憶される。」
（本件特許掲載公報第５頁第９欄第４０行〜第４５行）
を根拠とし、訂正前の本件請求項１に記載される「予約指示入力手段」及び「設定登録指示入力手段」が、本件特許明細書中に記載される実施例の「予約キー６０２」及び「予約設定キー６０３」に各々相当することを明確に区別できるように、訂正前の「予約設定手段」を「予約設定登録指示入力手段」とした記載とするものである。
　また、同じく訂正事項ａは、訂正前の本件請求項１に「制御手段」の動作として記載される、(1)「自動的に前記第２の複写モードによる複写を実行させる」こと、及び(2)「前記第２の複写モードの設定操作を通常の複写モードに設定操作として扱う」ことが、どのような場合にどちらの動作が実行されるのかが明確でなかったことから、
本件特許明細書の実施例に係る記載
「まず、複写動作中（ステップＳ５−１）に予約キー６０２を押されて予約複写設定開始要求有りと判断されたら（ステップＳ５−２）、ステップＳ５−３で第２の複写モードの設定を行う。その間、ステップＳ５−４で現在複写動作中であるか否かを判断して、もし、第２の複写モード設定中に第１の複写モードによる複写動作が終了したらステップＳ５−５で第２の複写モード設定状態から、第１の複写モード設定状態となり、予約設定キー６０３を押しても予約登録はされない。すなわち、設定していたモードは自動的に第１の複写モードとなる。新たに設定された第１の複写モードによる複写を実行するには、コピーボタンを押せばよい。
　現在複写動作中（ステップＳ５−４）に予約設定キーが押されて予約複写登録要求有りと判断されると（ステップＳ５−６）、ステップＳ５−７で予約複写を登録して、第１の複写モードによる複写の終了後、第２の複写モードによる複写が実行される。」
（本件特許掲載公報第５頁第１０欄第４５行〜第６頁第１１欄第１１行）
を根拠として、前者(1)については「前記予約設定登録指示入力手段による指示の入力後、前記第１の複写モードによる複写動作が終了すると」実行され、後者(2)については「前記予約指示入力手段による指示の入力後であって前記予約設定登録指示入力手段による指示の入力前の前記第２の複写モードの設定操作中に前記第１の複写モードによる複写動作が終了すると」実行されることを明確化するものである。
　したがって、同訂正事項ａは、特許請求の範囲の減縮及び明りょうでない記載の釈明を目的とするものであって、願書に添付した明細書又は図面に記載した事項の範囲内のものであり、新規事項を追加するものではない。
　
ｂ）訂正事項ｂは、訂正された本件請求項１の記載を引用している本件特許明細書の記載個所を整合させるものであり、不明りょうな記載の釈明を目的とするものであることは明らかであり、訂正事項ａと同様に、願書に添付した明細書又は図面に記載した事項の範囲内のものであり、新規事項を追加するものではない。
　
ｃ）そして、これら訂正事項ａ及びｂは、いずれも実質上特許請求の範囲を拡張し変更するものでもない。
　以下、訂正された本件特許請求の範囲の請求項１に係る発明を「本件訂正発明１」という。
　
エ．独立要件の判断
ａ）取消理由通知及び訂正拒絶理由通知で引用した刊行物及びその記載内容
刊行物１：特開昭６２−２１０４８２号公報
刊行物２：特開昭６２−１６６３６９号公報
　
(1) 刊行物１の記載内容
(1-1) 第１頁右欄第２行〜第５行
　電子複写機や静電プリンタ等の書画像記録装置に関し、特に搭載され、記憶手段に格納されている制御条件に基いて記録動作が実行されることを特徴とするものである。
　
(1-2) 第２頁左上欄第４行〜第６行
　この発明の主たる目的は、制御条件の設定のための時間を節約できる、複写機等の書画像記録装置を提供することである。」
　
(1-3) 第３頁右上欄第１５行〜第２０行、第２図
「本体１２の上面には、第２図に示すような操作パネル７４が設けられる。この操作パネル７４には、コピーサイクルをスタートさせるためのコピースタートキー７６が設けられ、このコピースタートキー７６の下には、コピーサイクルの停止や設定解除を行うためのクリアストップキー７８が設けられる。」
　
(1-4) 第４頁左第１行〜第８行、第２図
「操作パネル７４の下半分には、現行のコピーサイクル中に設定された次のコピーサイクルのための制御条件が表示される。一方、現在実行しているコピーサイクルの条件は表示パネル７４の上半分に表示されている。すなわち、この発明では、実行しているコピーサイクルが完了する前に次のコピーサイクルの条件を設定することが可能なのである。」
　
(1-5) 第４頁右上欄第３行〜第１６行、第１図、第２図、第４図
「第１図はこの実施例の電子複写機の主要部の回路構成を示す回路図である。それぞれが４ビットの１チップマイクロコンピュータ（以下「マイコン」）である第１副マイコン９８および第２副マイコン１００が主マイコン１０４に対して、並列的に連結され、これら副マイコン９８，１００のそれぞれの入力ポートＧ０〜Ｇ３，Ｈ０〜Ｈ３には、表示パネル７４に含まれる各キーのためのキーマトリクス１０２の出力が与えられる。このようにしてキーマトリクス１０２からのキー入力は、第１副および第２副マイコン９８，１００で受け付けられる。」
　
(1-6) 第５頁右上欄第２行〜第４行
「主マイコン１０４は、第１副マイコン９８からの制御条件データの転送に応じて、その制御条件に基づいてコピーサイクルを制御する。」
　
(1-7) 第７頁左下欄第３行〜第１０行
「第１副マイコン９８は、・・・表示用メモリへそのキー入力データを格納して表示を行うとともに、主マイコン１０４へのキー入力データの転送の準備のために、データ送信用バッファのそのキー入力データを格納する。」
　
(1-8) 第１０頁左上欄第１０行〜第１３行
「コピーサイクル中およびクリーニングサイクル中は第２副マイコン１００が、レディ状態では第１副マイコン９８が、それぞれキー入力を受け付ける。」
　
(1-9) 第１０頁左上欄第１３行〜右下欄第１２行、第１図、第４図、第１５図
「コピーサイクル中に次のコピーサイクルのための制御条件を予約登録するときは、現行のコピーサイクルが終了した後の第１副マイコン９８と第２の副マイコン１００との間で表示データの変更が行われる。すなわち、予約登録を表示している第２副マイコン１００の表示データが、すべて、現行のコピーサイクルの制御条件を表示している第１副マイコン９８の表示用メモリに転送され、かつ、予約登録を表示するための第２副マイコン１００の表示用メモリがクリアされなければならない。
　このため、コピーサイクルが開始したことあるいはコピーサイクルが終了したことなどを示す信号が、主マイコン１０４から第１副マイコン９８および第２副マイコン１００に伝送されなければならない。・・・
　そして、第２副マイコン１００のポートＩ３がハイレベルからローレベルに変わるとき、第２副マイコン１００は、・・・すべての情報を前述のパラレル通信によって、転送し、自らの表示用メモリ・・・をクリアする。これは、予約登録されたデータを現行コピーサイクルの表示のための第１副マイコン９８に引き渡す動作である。・・・
予約登録された制御条件が、第１副マイコン９８を介して、第２副マイコン１００から主マイコン１０４に転送される。・・・
第１５図を参照して、第２副マイコン１００のメインルーチンについて説明する。・・・第２副マイコン１００は、その入力ポートＧ0−Ｇ3、Ｈ0−Ｈ3によってキースキャンを実行し、キー入力があるかどうかを判断する。
　キー入力があれば第２副マイコン１００は、・・・その入力データを表示用メモリに格納するとともに、送信用バッファに格納する。」
　
(1-10) 第１１頁右上欄第１５行〜第２０行
「次段の記録動作のための制御条件を、現行の記録動作中に設定することができるので。現行の記録動作終了後直ちに次段の記録動作を実行し得る。従って、前記制御条件の入力設定のための時間を短縮することができ、記録動作効率を向上させることができる。」
　
(1-11) 第２頁左上欄第２０行〜右上欄第６行
「（ホ）作用
　本発明では、記録動作中においてもキー入力手段からのキー信号を受けつけるように制御されているので、装置本体が記録動作を実行している最中であっても次段の記録条件をキー入力によって記憶設定させ得る。従って、現行の記録動作終了後、直ちに次段の記録動作を開始し得る。」
　
　これら(1-1)〜(1-9)の記載からみて、刊行物１には、
　「第１副マイコン９８及び第２副マイコン１００それぞれのデータ転送用バッファに格納したキーマトリクス１０２からのキー入力による制御条件データをデータ転送手段により、コピーサイクルを制御する主マイコン１０４に転送、設定する(上記(1-5)、(1-6)、(1-7)、(1-9)の記載事項)と記載されているので、「複写モードを設定し、記憶する複写モード設定手段」の構成として、「キーマトリクス１０２、主マイコン１０４、第１副マイコン９８及び第２副マイコン１００」が記載されている。
　
　また、「主マイコン１０４がコピーサイクルかレディ状態かの信号(コピーサイクル実行中に発生されるコピーサイクル信号)を発信することによって、それぞれ予約か通常かを指示し(上記(1-6)参照)、外部入力に依らずに装置側で決めるようになっている」と記載されているので、「前記複写モード設定手段で設定された第１の複写モードによる複写動作実行中に第２の複写モードによる複写を予約するための指示を入力する予約指示入力手段」の構成が記載されている。
　
　しかしながら、前記の「予約指示入力手段」の指示は、「主マイコン１０４がコピーサイクルかレディ状態かの信号（コピーサイクル実行中に発生されるコピーサイクル信号）を発信することによって、それぞれ予約か通常かを指示し（上記(1-9)参照）、外部入力に依らず装置側で決める」ものとなっている。
　
　また、「コピーサイクル中のキー入力を第２副マイコンが受け付け、これを予約登録された制御条件データとして設定、表示する(上記(1-5)、(1-8)の記載事項)」と記載されているので、「第２副マイコン１００」が「予約設定手段」として記載されている。
　
　「コピーサイクル中にキー入力があれば第２副マイコン１００は、その入力データを表示用メモリに格納するとともに、送信用バッファに格納することにより制御条件データとして予約登録し、コピーサイクルが終了するとこの制御条件データを第１副マイコン９８を介してレディ状態にある主マイコン１０４に転送、設定する(上記(1-6)、(1-7)、(1-9)の記載事項)」と記載されており、コピー実行中は常に第２副マイコン１００がキー入力を受け付ける状態にあり、これは即ち、コピー実行中は「第２の複写モードの設定操作中」の状態が継続していることを表している。
　そしてコピーサイクルが終了すると、入力され送信用バッファに格納されていたデータを破棄することなく第１副マイコン９８へ送信し、その後は第１副マイコン９８によってキー入力等が処理されるとともに、操作パネル７４の表示についても下半分の予約用領域の表示がクリアされ、その内容は上半分の通常のコピー用の領域に引き継がれ表示されるように構成されている。
　つまり、「通常の複写モードの設定操作」として扱われている。
　
　したがって、当該刊行物１からは、
「複写モードを設定し、記憶する複写モード設定手段と、
　前記複写モード設定手段で設定された第１の複写モードによる複写動作実行中に第２の複写モードによる複写を予約するために、コピーサイクルかレディ状態かによりそれぞれ予約か通常かを装置側で決める予約指示入力手段と、
　前記予約指示入力手段による指示の入力後上記複写モード設定手段で設定される第２の複写モードを予約複写として設定する予約設定手段と、
　前記第１の複写モードによる複写動作の終了後自動的に前記第２の複写モードによる複写を実行させる制御手段と、
　を有し、前記制御手段は、前記予約指示入力手段による指示の入力後前記第２の複写モードの設定操作中に前記第１の複写モードによる複写動作が終了すると、前記第２の複写モードの設定操作を通常の複写モードの設定操作として扱う複写装置」が把握できる。
　
　要約すれば、当該刊行物１には、記録動作中すなわち通常にコピーしている場合において、次のコピーをするための制御条件設定が記憶させ得るものであって、現在行われている記録動作が終了した場合には、次のコピーのための設定された制御条件を自動的に通常の記録動作のために用いるために、制御装置の中で失われることなく用いられることが記載されている。
　
(2) 刊行物２の記載内容
(2-1) 第２頁左上欄第１８行〜右上欄第１行
「この発明は複写機に関し、特に記憶手段に格納された制御条件（コピー枚数、倍率、サイズなど）に基づいてコピーサイクルが実行される、いわゆる電子複写機に関する。」
　
(2-2) 第２頁左下欄第１行〜第３行
「この発明の主たる目的は、制御条件の設定のための時間を節約できる、複写機を提供することである。」
　
(2-3) 第２頁左下欄第７行〜第１９行
「この発明は、簡単にいえば、制御条件を入力するための入力手段、入力手段によって入力された制御条件を記憶するための記憶手段、コピースタートを指令するためのコピースタート指令手段、コピースタート指令手段からの指令に応じて、記憶手段から読み出した制御条件に基づいて一連のコピーサイクルを実行するコピー手段、およびコピーサイクルが実行されているとき次のコピーサイクルのために入力手段から入力される制御条件を受け付けるための手段を備え、記憶手段は現在実行されているコピーサイクルのための制御条件とは別にその次のコピーサイクルのための制御条件を記憶する、複写機である。」
　
(2-4) 第４頁右上欄第１４行〜第１９行
「操作パネル７４には、制御条件の予約設定のために用いられる予約キー８８，およびその予約キー８８の操作の後にテンキー８０などから入力される制御条件を登録するための予約登録キー９０ならびに予約した制御条件を取り消すための予約クリアキー９２が設けられる。」
　
(2-5) 第５頁右下欄第１２行〜第１９行
「予約のためには、まず、（ａ）予約キー８８を押して予約モードを設定し、必要に応じて（ｂ）テンキー８０，倍率設定キー群８４或いはカセット選択キー８６を操作して、制御条件を入力し、最後に（ｃ）予約登録キー９０を押す。そうすると、ステップ（ｂ）で入力された制御条件がマイコン１２８に含まれるＲＡＭにストアされる。このようにして制御条件が予約登録される。」
　
　これらの(2-1)〜(2-5)の内容を参酌すれば、刊行物２の記載から、「コピーサイクルが実行されているとき、入力される制御条件に基づいて次のコピーサイクルを実行する予約機能を付加的機能として備えた複写モード設定手段への予約指示をする予約キーを設け、このキーを操作して予約モードを設定したあと、制御条件の入力を行うようにする予約モード設定キー」が把握できる。
　
(2-6) 第４頁左下欄第１１行〜右下欄第８行
「操作パネル７４には、さらに、同一原稿であるか否かを設定するための原稿判別キー１０２が設けられ、このキー１０２によって同一原稿が設定されたときには、ＬＥＤ１０４が、また異なる原稿が設定されたときＬＥＤ１０６がそれぞれ点灯される。原稿判別キー１０２によって同一原稿が設定されたとき、連続的にコピーサイクルを実行するかどうかを指令するために、連続キー１０８が設けられる。もし、この連続キー１０８によってコピーサイクルの連続的な移行が設定されるとＬＥＤ１１０が、またコピーサイクル毎の一時停止（ポーズ）が指令されるとＬＥＤ１１２が、それぞれ点灯される。
　操作パネル７４には、さらに、コピーサイクルが終了して一時停止したときオペレータを呼ぶためにブザーを鳴らすかどうかを設定するためのオペレータコールキー１１４と、その設定を表示するためのＬＥＤ１１６および１１８が設けられる。」
　
(2-7) 第６頁左上欄第２０行〜左下欄第８行
「また、同一原稿で異なった紙サイズに複写する場合、あるいは単にコピー枚数を変更するだけのためには、原稿判別キー１０２および連続キー１０８を用いる。たとえば、同一原稿で複写する場合、原稿台１４（第２図）に原稿を載せ変える操作が不要であるため、コピーサイクルを停止させることなく、次の予約された制御条件によるコピーサイクルへ連続して移行することができる。しかしながら、同一原稿の場合であっても、用いる紙サイズに応じて分類するなどのためには、コピーサイクル毎に停止したほうがよい場合もあり、このときには、連続キー１０８はオフされる。
　同一原稿のときは、原稿判別キー１０２を押す。そうすると、ＬＥＤ１０６が消灯され、同一原稿であることを示すＬＥＤ１０４が点灯される。また、原稿判別キー１０２を押すと、連続動作を示すＬＥＤ１１０が点灯され、自動的にコピーサイクルの連続的な移行が設定される。したがって、コピーサイクル間で一時停止する必要がある場合には、連続キー１０８を押して、ＬＥＤ１１２を点灯して、予約された制御条件によるコピーサイクルの連続的な移行を禁止する。このときには、ＬＥＤ１１０が消灯されていることは勿論である。
　予約登録を行い、同一原稿のコピーを或る枚数ずつ分類するときあるいは大量のコピーをしているときにオペレータが別の仕事をする場合などに便利なように、オペレータコールキー１１４が設けられている。通常はオペレータコールはしないため、ＬＥＤ１１６は消灯され、ＬＥＤ１１８が点灯しているが、オペレータコールを必要とする場合には、コールキー１１４を押せば、ＬＥＤ１１６が点灯され、予約された制御条件によるコピーサイクルが終了したときに、ブザー（図示せず）が鳴らされるであろう。」
　
　これらの記載からみて、当該刊行物２には、
「複写モードを設定し、記憶する複写モード設定手段（操作パネル７４のテンキー８０，倍率設定キー群８４あるいはカセット選択キー８６等／前記記載（２−５））と、
　記複写モード設定手段で設定された第１の複写モード（現在実行中のコピーサイクル）に第２の複写モード（予約モード）による複写を予約するための指示を入力する予約指示入力手段（予約キー８８）と、
　前記予約指示入力手段による指示の入力後上記複写モード設定手段で設定される第２の複写モード［による複写］を予約複写として設定［登録するための指示を入力］する予約設定［登録指示入力］手段（予約登録キー９０）と、
　［前記予約設定登録指示入力手段による指示の入力後、］前記第1の複写モードによる複写動作［が終了すると、］自動的に前記第２の複写モードによる複写を実行させる制御手段（マイコン１２８等）とを有する複写装置」が把握できる。
　
ｂ）取消理由の概要
　訂正前の本件請求項１に係る発明と、刊行物１から把握できる発明の要件を対比すると、
　訂正前の本件請求項１に係る発明の”予約するための指示を入力する予約指示入力手段”は、第１(通常)の複写モードと第２(予約)の複写モードで設定可能な複写モード設定手段に対し、予約複写モードの設定操作を行う前に外部入力により予約設定を指示する手段(本件実施例において「予約キー」)であるため、予約設定は外部入力により行われるのに対して、
刊行物１から把握できる発明においては、この予約指示入力手段の指示は、「主マイコン１０４がコピーサイクルかレディ状態かの信号（コピーサイクル実行中に発生されるコピーサイクル信号）を発信することによって、それぞれ予約か通常かを指示し（上記（１−９）参照）、外部入力に依らず装置側で決めるものとなっている」点で相違し、
その他の点では一致している。
　
　そして、両者の相違は、複写条件（モード）設定手段に予約設定を指示する手段を有し、この手段の指示により通常設定と予約設定機能を使い分けてそれぞれの設定の指示を行うようにしている点で共通しているから、その差異は、本件発明が前記予約設定指示を外部から行えるようにしたのに対し、刊行物１から把握できる発明ではそれを装置側で行えるようにした、設計思想の差異に基づく具体的手段における差異でしかない。
　
　他方、外からの入力により複写条件設定手段に予約設定を行う設計思想及び手段は、刊行物２において具体的には予約キーとして示されている如く、予約設定機能を備えた複写機においてごく普通に採用されているところであるから、刊行物１から把握できる発明の複写機の予約設定のための指示手段として、刊行物２から把握できるところの外部からの入力手段を採用することは当業者にとって何ら困難なこととはいえない。
　
　してみれば、前記相違に係る構成は、当業者が容易に想到し得たものである。
　
　また、訂正前の本件請求項１に係る発明の作用効果のうち、外部からの入力指示を待って予約設定を行うという点が刊行物１から直ちに把握できないとしても、この作用効果は、刊行物２記載の予約キーが当然に備えたものであるから、刊行物２から把握できる事項を刊行物１から把握できる発明に適用するにあたって容易に予測し得る程度のものである。
　
ｃ）訂正拒絶理由の概要
　刊行物２に記載のものは、訂正された本件請求項１に係る発明で前提条件としている「通常の複写」と「予約複写」の両機能を備えたものであり、予約のための操作においても、「予約キー８８」を押して予約モードに移行し、必要な制御条件を入力した後、最後に「予約登録キー９０」により制御条件が設定される（刊行物２第５頁右下欄第１２行〜第１９行／前記記載（２−５））と明記されている。
　
　そして、前記に摘示したように、刊行物２には、本件発明における構成要件のうち、
「前記制御手段は、前記予約指示入力手段による指示の入力後［であって前記予約設定登録指示入力手段による指示の入力前の］前記第２の複写モードの設定操作中に前記第１の複写モードによる複写動作が終了すると、前記第２の複写モードの設定操作を通常の複写モードの設定操作として扱う」
以外の構成要件は、ひとまず備えた複写装置が記載されている。
　
　よって、訂正された本件請求項１に係る発明と、刊行物２記載のものとは、前記した構成要件
「前記制御手段は、前記予約指示入力手段による指示の入力後［であって前記予約設定登録指示入力手段による指示の入力前の］前記第２の複写モードの設定操作中に前記第１の複写モードによる複写動作が終了すると、前記第２の複写モードの設定操作を通常の複写モードの設定操作として扱う」
において相違している。
　
　しかしながら、刊行物１において、指摘されるように、現在実行中のコピー動作の間に、次に行うコピー動作の制御条件を設定するべく備える構成において、入力された制御条件を失わないように制御装置内で扱うことは、常識的であり、格別なものとはいえない。
　
ｄ）当審の対比・判断
　前記「イ．訂正明細書の請求項１に係る発明」に記載した訂正された本件請求項１には、構成要件として
「前記予約指示入力手段による指示の入力後前記複写モード設定手段で設定される前記第２の複写モードによる複写を予約複写として設定登録するための指示を入力する予約設定指示入力手段」、
「前記予約設定登録指示入力手段による指示の入力により前記第２の複写モードによる複写が予約複写として設定登録された後、前記第１の複写モードによる複写動作が終了すると、自動的に前記第２の複写モードによる複写を実行させる制御手段」及び
「前記制御手段は、前記予約指示入力手段による指示の入力後であって前記予約設定登録指示入力手段による指示の入力前の前記第２の複写モードの設定操作中に前記第１の複写モードによる複写動作が終了すると、前記第２の複写モードの設定操作を通常の複写モードの設定操作として扱う」
と記載されている。
　そして、訂正された本件請求項１に係る発明における複写装置では、「通常」の複写開始キー（コピースタートキー）６０６（本件特許掲載公報第４頁第７欄第３２行〜第３３行）を押すことにより開始される複写とは別に、実行中の複写動作が終了すると、自動的に開始される「予約複写」を行うことができ、２種類の異なる複写動作を実行することが可能となっている。
　
　したがって、訂正された本件請求項１に係る発明の特徴は、「前記予約指示入力手段による指示の入力後前記複写モード設定手段で設定される前記第２の複写モード」の設定操作を、
「予約複写」のための複写モードの設定操作として扱うか、あるいは「通常の複写」のための複写モードの設定操作として扱うかを区別すると共に、このような区別を、「前記予約設定登録指示入力手段による指示の入力により前記第２の複写モードによる複写が予約複写として設定登録された後、前記第１の複写モードによる複写動作が終了」したか、あるいは「前記予約指示入力手段による指示の入力後であって前記予約設定登録指示入力手段による指示の入力前の前記第２の複写モードの設定操作中に前記第１の複写モードによる複写動作が終了」したか、に応じて行う点にある。
　
　ここで、前記の引用した刊行物１には、「予約複写」についての直接的な記載はなく、また同じく引用した刊行物２においても、「予約複写」、「通常の複写」に相当する記載はあるものの、第２の複写モードの設定操作を、「予約複写」のための複写モードの設定操作として扱うか、あるいは「通常の複写」のための複写モードの設定操作として扱うことを区別する、という前記訂正された本件請求項１に係る発明の特徴は記載されていない。
  したがって、前記各刊行物のいずれにおいても前記した構成要件が記載されておらず、またそれを示唆する記載もない。
　
　以上のとおりであるから、本件訂正請求項１に係る発明は、特許出願の際に独立して特許を受けることができないものとすることはできない。
　
オ．むすび
　以上のとおりであるから、上記訂正請求は、特許法第１２０条の４第２項及び同条第３項で準用する第１２６条第２項乃至第４項の規定に適合するので、当該訂正を認める。
　
３．特許異議の申立てについての判断
ア．本件請求項１に係る発明
　本件請求項１に係る発明は、訂正された全文訂正明細書及び図面の記載からみて、前記２．イに示した特許請求の範囲の請求項１に記載されたとおりのものである。
　
イ．申立人：小原深美子の特許異議申立について
ａ）申立ての理由の概要及び甲号各証の記載内容
　申立人は、甲第１号証及び甲第２号証を提出し、本件請求項１に係る特許には、前記「２．訂正の適否　エ．独立要件の判断　ａ）取消理由の内容」に示したように特許を取り消すべきであると主張している。
　
　ここで、甲第１号証及び甲第２号証は、各々前記刊行物１及び２に該当しており、前記
「２．訂正の適否　エ．独立要件の判断　ａ）取消理由通知及び訂正拒絶理由通知で引用した刊行物及びその記載内容」に示した記載内容がある。
　
ｂ）当審の判断
　前記「２．訂正の適否　エ．独立要件の判断　ｄ）当審の対比・判断」に示したように特許異議申立人の主張は採用できない。
　
４．むすび
　以上のとおりであるから、特許異議申立ての理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１２年１０月３０日（２０００．１０．３０）
【訂正の要旨】
【訂正の要旨】
Ａ．訂正事項ａ
　特許請求の範囲の請求項１に係る記載
「１）　複写モードを設定し、記憶する複写モード設定手段と、
　前記複写モード設定手段で設定された第１の複写モードによる複写動作実行中に第２の複写モードによる複写を予約するための指示を入力する予約指示入力手段と、
　前記予約指示入力指示手段による指示の入力後上記複写モード設定手段で設定される第２の複写モードによる複写を予約複写として設定する予約設定手段と、
　前記第１の複写モードによる複写動作が終了後自動的に前記第２の複写モードによる複写を実行させる制御手段
と
を有し、前記制御手段は、前記予約指示入力手段による指示の入力後前記第２の複写モードの設定操作中に前記第１の複写モードによる複写動作が終了すると、前記第２の複写モードの設定操作を通常の複写モードの設定操作として扱うことを特徴とする複写装置。」
を、
「複写モード設定手段」と「予約設定手段」がいずれも第２複写モードを「設定」する構成となっているために、前者「複写モード設定手段」による第２の複写モードの設定と、後者による第２の複写モードの設定との差異が明確でなかったので、「予約設定手段」を「予約設定登録指示入力手段」とし、これが本件特許明細書の実施例記載の「予約設定キー６０３」（本件特許掲載公報第４頁第８欄第３５行〜第４１行及び第５頁第９欄第４０行〜第４５行）に対応することを明確化すべく、
また、「制御手段」の動作として記載される、（１）「自動敵意前記第２の複写モードによる複写を実行させる」こと、及び（２）「前記第２の複写モードの設定操作を通常の複写モードに設定操作として扱う」ことが、どのような場合にどちらの動作が実行されるのかを実施例に関する記載（第５頁第１０欄第４５行〜第６頁第１１欄第１１行）を根拠として明確化すべく、特許請求の範囲の減縮及び明りょうでない記載の釈明を目的として、
「１）　複写モードを設定し、記憶する複写モード設定手段と、
　前記複写モード設定手段で設定された第１の複写モードによる複写動作実行中に第２の複写モードによる複写を予約するために、前記第２の複写モードの設定開始の指示を入力する予約指示入力手段と、
　前記予約指示入力指示手段による指示の入力後前記複写モード設定手段で設定される第２の複写モードによる複写を予約複写として設定登録するための指示を入力する予約設定登録指示入力手段と、
　前記予約設定登録指示入力手段による指示の入力により前記第２の複写モードによる複写が予約複写として設定登録された後、前記第１の複写モードによる複写動作が終了すると、自動的に前記第２の複写モードによる複写を実行させる制御手段と、
　を有し、前記制御手段は、前記予約指示入力手段による指示の入力後であって前記予約設定登録指示入力手段による指示の入力前の前記第２の複写モードの設定操作中に前記第１の複写モードによる複写動作が終了すると、前記第２の複写モードの設定操作を通常の複写モードの設定操作として扱うことを特徴とする複写装置。」
に訂正する。
Ｂ．訂正事項ｂ
　本件特許明細書第３頁第４行〜第１５行（本件特許掲載公報第２頁第３欄第３７行〜第５０行）の記載
「本発明に係る複写装置は、複写モードを設定、記憶する複写モード設定手段と、前記複写モード設定手段で設定された第１の複写モードによる複写動作実行中に第２の複写モードによる複写を予約するための指示を入力する予約指示入力指示手段と、前記予約指示入力手段による指示の入力後上記複写モード設定設定手段で設定される第２の複写モードを予約複写として設定する予約設定手段と、前記第１の複写モードによる複写動作の終了後自動的に前記第２の複写モードによる複写を実行させる制御手段とを有し、前記制御手段は、前記予約指示入力手段による指示の入力後前記第２の複写モードの設定操作中に前記第１の複写モードによる複写動作が終了すると、前記第２の複写モードの設定操作を通常の複写モード設定操作として扱うものである。」
を、訂正事項ａの訂正に伴い明細書中の不明りょうな記載の釈明を目的として、
「本発明に係る複写装置は、複写モードを設定し、記憶する複写モード設定手段と、前記複写モード設定手段で設定された第１の複写モードによる複写動作実行中に第２の複写モードによる複写を予約するために、前記第２の複写モードの設定開始の指示を入力する予約指示入力手段と、前記予約指示入力手段による指示の入力後上記複写モード設定設定手段で設定される第２の複写モードによる複写を予約複写として設定登録するための指示を入力する予約設定登録指示手段と、前記予約設定登録指示入力手段による指示の入力により前記第２の複写モードによる複写が予約複写として設定登録された後、前記第１の複写モードによる複写動作が終了すると、自動的に前記第２の複写モードによる複写を実行させる制御手段とを有し、前記制御手段は、前記予約指示入力手段による指示の入力後であって前記予約設定登録指示入力手段による指示の入力前の前記第２の複写モードの設定操作中に前記第１の複写モードによる複写動作が終了すると、前記第２の複写モードの設定操作を通常の複写モードの設定操作として扱うものである。」
に訂正する。
（５４）【発明の名称】
複写装置
（５７）【特許請求の範囲】
１）　複写モードを設定し、記憶する複写モード設定手段と、
　前記複写モード設定手段で設定された第１の複写モードによる複写動作実行中に第２の複写モードによる複写を予約するために、前記第２の複写モードの設定開始の指示を入力する予約指示入力手段と、
　前記予約指示入力手段による指示の入力後前記複写モード設定手段で設定される前記第２の複写モードによる複写を予約複写として設定登録するための指示を入力する予約設定登録指示入力手段と、
　前記予約設定登録指示入力手段による指示の入力により前記第２の複写モードによる複写が予約複写として設定登録された後、前記第１の複写モードによる複写動作が終了すると、自動的に前記第２の複写モードによる複写を実行させる制御手段と
を有し、前記制御手段は、前記予約指示入力手段による指示の入力後であって前記予約設定登録指示入力手段による指示の入力前の前記第２の複写モードの設定操作中に前記第１の複写モードによる複写動作が終了すると、前記第２の複写モードの設定操作を通常の複写モードの設定操作として扱うことを特徴とする複写装置。
２）　複写モードを設定し、記憶する複写モード設定手段と、
　前記複写モード設定手段で設定された第１の複写モードによる複写動作実行中に第２の複写モードによる複写を予約するための指示を入力する予約指示入力手段と、
　前記予約指示入力手段による指示の入力後上記複写モード設定手段で設定される第２の複写モードを予約複写として設定する予約設定手段と、
　前記第１の複写モードによる複写動作の終了後自動的に前記第２の複写モードによる複写を実行させる制御手段と
を有し、前記制御手段は、前記予約指示入力手段による指示の入力後前記第２の複写モードの設定操作中に前記第１の複写モードによる複写動作に異常が生じると、前記第２の複写モードの設定を一時的に中止することを特徴とする複写装置。
３）　請求項２において、前記制御手段は、前記異常が解消され、前記第１の複写モードによる複写の再開後前記第２の複写モードの設定操作を可能にすることを特徴とする複写装置。
【発明の詳細な説明】
［産業上の利用分野］
　本発明は、複数ジョブ分の複写モードを設定できる複写装置に関するものである。
［従来の技術］
　複数ジョブ分の複写モードを設定出来る従来の複写装置においては、第１の複写モードによる複写の終了時に、次に実行されるべき複写モードを呼び出してその複写をおこなっている。
［発明が解決しようとする課題］
　しかし、第１の複写モードによる複写中に、第１の複写モードとは異なる複写モードを設定している場合には、その最中に第１の複写モードによる複写が終了してしまうと、設定していた複写モードが無効になったり、第１の複写モードとは異なる複写モードがすでに設定されている時にはそれとの優先順位がはっきりしないという問題点があった。
　また、第１の複写に対して紙無し等のアラームが発生した場合に、第１の複写モードとは異なる複写モードの設定状態のままでは、そのアラームの内容がわからないという問題点もあった。
　よって本発明の目的は、複数ジョブ分の複写モードを設定し得る複写装置において、設定中の複写モードを無効にすることなく、かつ、設定された複写モードの設定順位を保持し得るよう構成することにある。
　本発明のその他の目的は、複数ジョブ分の複写モードとアラームとの対応関係を明確にすることができる複写装置を提供することにある。
［課題を解決するための手段］
　本発明に係る複写装置は、複写モードを設定し、記憶する複写モード設定手段と、前記複写モード設定手段で設定された第１の複写モードによる複写動作実行中に第２の複写モードによる複写を予約するために、前記第２の複写モードの設定開始の指示を入力する予約指示入力手段と、前記予約指示入力手段による指示の入力後前記複写モード設定手段で設定される前記第２の複写モードによる複写を予約複写として設定登録するための指示を入力する予約設定登録指示入力手段と、前記予約設定登録指示入力手段による指示の入力により前記第２の複写モードによる複写が予約複写として設定登録された後、前記第１の複写モードによる複写動作が終了すると、自動的に前記第２の複写モードによる複写を実行させる制御手段とを有し、前記制御手段は、前記予約指示入力手段による指示の入力後であって前記予約設定登録指示入力手段による指示の入力前の前記第２の複写モードの設定操作中に前記第１の複写モードによる複写動作が終了すると、前記第２の複写モードの設定操作を通常の複写モードの設定操作として扱うものである。
　また、他の本発明に係る複写装置は、複写モードを設定し、記憶する複写モード設定手段と、前記複写モード設定手段で設定された第１の複写モードによる複写動作実行中に第２の複写モードによる複写を予約するための指示を入力する予約指示入力手段と、前記予約指示入力手段による指示の入力後上記複写モード設定手段で設定される第２の複写モードを予約複写として設定する予約設定手段と、前記第１の複写モードによる複写動作の終了後自動的に前記第２の複写モードによる複写を実行させる制御手段とを有し、前記制御手段は、前記予約指示入力手段による指示の入力後前記第２の複写モードの設定操作中に前記第１の複写モードによる複写動作に異常が生じると、前記第２の複写モードの設定を一時的に中止するものである。ここで、前記制御手段は、前記異常が解消され、前記第１の複写モードによる複写の再開後前記第２の複写モードの設定操作を可能にすることができる。
［実施例］
　以下、実施例に基づいて本発明を詳細に説明する。
第１の実施例
　第１図ないし第５図は本発明の一実施例を示す。ここで、第１図は複写機全体の内部構成を示す略解断面図、第２図は同複写機の自動原稿送り装置の断面図、第３図は同複写機の操作パネルを示す図である。第４図は制御部のブロック図、第５図は制御内容を示すフローチャートである。
　第１図において、１００は複写機本体、２００は両面記録の際に記録媒体（用紙）を裏返しにする両面処理機能や同一記録媒体に対して複数回の記録を行わせる多重処理機能を有するペディスタル、３００は原稿の自動給送を行う循環式自動原稿送り装置、４００は仕分け装置すなわちソータであり、これらペディスタル２００と自動原稿送り装置３００（以下ＲＤＦと記す）とソータ４００は本体１００に対して自在に組合せ使用出来るようになっている。
Ａ．本体（１００）
　第１図において、１０１は原稿載置台としての原稿台ガラスである。また、１０２は画像読取り手段としての光学系であり、原稿照明ランプ（露光ランプ）１０３と、走査ミラーと、レンズと、モータ１０４等から構成されており、モータ１０４により走査しつつ露光ランプ１０３で原稿を照明し、原稿からの反射光を走査ミラーとレンズにより感光体ドラム１０５に照射する。
　前記感光体ドラム１０５の回りには、高圧ユニット１０６と、ブランク露光ユニット１０７と、現像器１０９と、転写帯電器１１０と、分離帯電器１１１と、クリーニング装置１１２とが装備されていて、これら感光体ドラム１０５等により画像記録手段が構成されている。
　感光体ドラム１０５はメインモータ１１３により第１図に示す矢印の方向に回転するもので、高圧ユニット１０６によりコロナ帯電されており、光学系１０２から原稿の反射光が照射されると、静電潜像が形成される。この静電潜像は、現像器１０９により現像されてトナー像として可視化される。一方、上段カセット１１４あるいは下段カセット１１５から給紙ローラ１１６および１１７により本体１００内に送られた転写紙が、レジストローラ１１８によりトナー像の先端と転写紙の先端とが一致するようにタイミングがとられた後、感光体ドラム１０５に給送され、転写帯電器１１０によりトナー像が転写される。この転写後、転写紙は分離帯電器１１１により感光体ドラム１０５から分離され、搬送ベルト１１９により定着器１２０に導かれて加圧、加熱により定着され、この後排出ローラ１２１により本体１００の外に排出される。また、感光体ドラム１０５はクリーニング装置１１２により、その表面が清掃される。
　なお、第１図中の１２２，１２３，１２４はセンサ、１２５は両面記録する際に用いるペディセンサ、１２６は手差し給紙口である。
Ｂ．ペディスタル（２００）
　第１図に示すように、ペディスタル２００には、例えば２０００枚の転写紙を収納し得るデッキ２０１と、両面記録用中間トレイ２０２とが装備されている。デッキ２０１のリフタ２０３は、給紙ローラ２０４に転写紙が常に当接するように転写紙の量に応じて上昇する。
　また、第１図において、２０５は排紙フラッパであり、本体１００の外側に配置され、両面記録側ないし多重記録側と排出側（ソータ４００）の経路を切り換える。排出ローラ１２１から送りだされた転写紙は、この排紙フラッパ２０５により両面記録側ないし多重記録側に切り換えられる。２０６および２０７は搬送ベルトであり、排出ローラ１２１から送り出された転写紙を裏返して中間トレイ２０２に導く。また、２０８は中間トレイ２０２に格納された転写紙を押しつけるおもりである。
　２０９は両面記録と多重記録の経路を切り換える多重フラッパであり、搬送路２０６と２０７との間に配置され、上方に回動することにより転写紙を多重記録用搬送路２１０に導く。また、２１１は多重フラッパ２０９を通る転写紙の末端を検知する多重センサである。また、２１２は経路２１３を通じて転写紙を感光体ドラム１０５側に給紙する給紙ローラである。２１４は排紙フラッパ２０５の近傍に配置されて、該排紙フラッパ２０５により排出側に切り換えられた転写紙を機外に排出する排出ローラである。
　両面記録（両面複写）や多重記録（多重複写）時には、排紙フラッパ２０５を上方に上げて、複写済みの転写紙を配送路２０６および２０７に介して裏返した状態で中間トレイ２０２に格納する。このとき、両面記録時には多重フラッパ２０９を下げておき、また多重記録時には該多重フラッパ２０９を上げておく。中間トレイ２０２に格納された転写紙はおもり２０８により押さえられる。次に行う裏面記録時や多重記録時には、中間トレイ２０２に格納されている転写紙が、下から１枚づつ給紙ローラ２１２，おもり２０８との作用により経路２１３を介して本体のレジストローラ１１８に導かれる。
Ｃ．ＲＤＦ（循環式自動原稿送り装置）（３００）
　第２図に詳細に示すように、ＲＤＦ３００には、原稿束Ｓをセットするの原稿載置台としての積載トレイ３１０と、原稿束ＳＳをセットするの原稿載置台としての積載トレイ３２０が装備されている。
　また、積載トレイ３１０側（第２図左側）には、原稿給送手段の一方の部分を構成する給送手段３３０が装備されている。この給送手段３３０は、半月ローラ３３１と、分離搬送ローラ３３２と、分離ベルト３３３と、分離モータ３３４と、レジストローラ３３５と、全面ベルト３３６と、ベルトモータ３３７と、搬送大ローラ３３８と、搬送モータ３３９と、排紙ローラ３４０と、フラッパ３４１と、リサイクルレバー３４２と、給紙ストッパー３４３と、レジストセンサ３４４と、排紙センサ３４５等から構成されている。
　ここで、半月ローラ３３１と分離搬送ローラ３３２と分離ベルト３３３は、分離モータ３３４により回転して、積載トレイ３１０上の原稿束Ｓの最下部から原稿を一枚ずつ分離する。
　また、レジストローラ３３５と全面ベルト３３６は、ベルトモータ３３７により回転して分離された原稿をパスＩ、ＩＩを介して原稿台ガラス１０１上の露光位置（パスＩＩＩ）まで搬送する。
　また、搬送大ローラ３３８は搬送モータ３３９により回転して原稿台ガラス１０１上の原稿をパスＩＩＩからパスＶに搬送する。このパスＶに搬送された原稿は、排紙ローラ３４０により原稿を積載トレイ３１０上の原稿束Ｓ上に戻される。
　また、リサイクルレバー３４２は、原稿の一循環を検知するもので、原稿給送開始時にリサイクルレバー３４２を原稿束Ｓの上部に載せ、原稿が順次給送され、最終原稿の後端がリサイクルレバー３４２を抜ける時に自重で落下したことで原稿の一循環を検知する。上記給送手段３３０では、両面原稿時に、原稿を一旦パスＩ，ＩＩからＩＩＩに導き、次いで搬送大ローラ３３８を回転し、フラッパ３４１を第２図に示す点線位置に切り換えることで原稿の先端をパスＩＶに導き、次いでレジストローラ３３５によりパスＩＩを通し、この後全面ベルト３３６で原稿を原稿台ガラス１０１上に搬送して停止することで原稿を反転させている。すなわち、原稿をパスＩＩＩ〜ＩＶ〜ＩＩの経路で反転させている。
　なお、原稿束Ｓの原稿を１枚づつパスＩ〜ＩＩ〜ＩＩＩ〜ＩＶ〜Ｖ〜ＶＩを通して、リサイクルレバー３４２により一循環したことが検知されるまで搬送することによって、原稿の枚数をカウントすることが出来る。
　また、積載トレイ３２０側（第２図右側）にも原稿給送手段の他方の部分を構成する給送手段３５０が装備されている。この給送手段３５０は、半月ローラ３５１と、分離搬送ローラ３５２と、分離ベルト３５３と、レジストローラ３５４と、搬送モータ３５５と、分離クラッチ３５６と、給紙クラッチ３５７と、リサイクルレバー３５８と、給紙ストッパー３５９と、レジストセンサ３６０と、原稿検知センサ３６１、排紙ローラ３６２等から構成されている。
　ここで、搬送モータ３５５と分離クラッチ３５６をオンすると、半月ローラ３５１と、分離搬送ローラ３５２と、分離ベルト３５３が回転して、積載トレイ３２０上の原稿束ＳＳの最下部から原稿を一枚ずつ分離する。
　また、搬送モータ３５５と給紙クラッチ３５７をオンしてレジストローラ３５４を回転し、またベルトモータ３３７を逆転オンして全面ベルト３３６を逆転させると、原稿束ＳＳから分離された原稿をパスＸＩ、ＸＩＩからパスＩＩＩに搬送することが出来る。
　なお、ベルトモータ３３７を正転オンして全面ベルト３３６を正転し、また給紙クラッチ３５７をオンし、搬送モータ３５５を逆転オンして排紙ローラ３６２を逆転すると、原稿台ガラス１０１上の原稿をパスＩＩＩからパスＸＩＩＩを通って上カバー３７０上に排紙することが出来る。
Ｄ．ソータ（仕分け装置）（４００）
　転写紙等の記録シートのシート後処理装置であるソータ４００は、第１図に示すように、２５ビンのトレイを持って仕分けを行うように構成されている。
　画像形成済み転写紙は、本体１００の排紙ローラ２１４から順次排出されて、ソータ４００の搬送ローラ４０１に入り、パス４０２を介して排出ローラ４０３により各ビン４０４に排出される。
Ｅ．操作パネル
　第３図は上述の本体１００に設けた操作パネル５００を示す図である。
　第３図において、６０５はオールリセットキーであり、設定されている種々データを全て標準モードに戻すときに押す。
　６０６は複写開始キー（コピースタートキー）であり、複写を開始するときに押す。
　６０４はクリア・ストップキーであり、待機（スタンバイ）中はクリアキー、複写記録中はストップキーの機能を有する。このクリアキーは、設定した複写枚数を解除するときに押す。また、ストップキーは連続複写を中断するときに押す。この押した時点での複写が終了した後に、複写動作が停止する。
　６１５はテンキーであり、複写枚数を設定するときに押す。６１９はメモリキーであり、使用者が頻繁に使うモードを登録しておくことができる。ここではＭ１〜Ｍ４の４通りの登録ができる。
　６１１および６１２は複写濃度キーであり、複写濃度を手動で調節するときに押す。６１３はＡＥキーであり、原稿の濃度に応じて、複写濃度を自動的に調節するときに、またＡＥ（自動濃度調節）を解除して濃度調節をマニュアル（手動）に切り換えるときに押す。６０７はカセット選択キーで有り、カセット１１４、中断カセット１１５、ペーパーデッキ２０１を選択するときに押す。また、積載トレイ３００に原稿が載っているときには、このキー６０７によりＡＰＳ（自動用紙選択）モードが選択できる。ＡＰＳモードが選択されたときには、原稿画像全体が複写できる最小サイズの転写紙のカセットが自動選択される。
　６１０は等倍キーであり、等倍（原寸）の複写をとるときに押す。６１６はオート変倍キーであり、指定した転写紙のサイズと原稿サイズに合わせて原稿の画像を自動的に縮小・拡大するＡＭＳ（自動倍率選択）モードを選択するときに押す。６１７および６１８はズームキーであり、６４〜１４２％の間で任意の倍率を指定するときに押す。６０８および６０９は定形変倍キーであり、定形サイズの縮小・拡大を指定するときに押す。６２６は両面キーであり、片面原稿から両面複写、両面原稿から両面複写、また両面原稿から片面複写をとるときに押す。６２５は綴じ代キーであり、転写紙の左側へ指定された長さの綴じ代を作成することができる。６２４は写真キーであり、写真原稿を複写するときに押す。６２３は多重キーであり、２つの原稿から転写紙の同じ面に画像を合成複写する時に押す。
　６２０は原稿枠消しキーであり、使用者が定形サイズ原稿の枠消しを行うときに押す。
　６２１はシート枠消しキーであり、カセットサイズの大きさに合わせて原稿の枠消しをする時に押す。
　６２２はページ連写キーであり、原稿の左右ページを、それぞれ別の用紙に分けて連続複写する時に押す。
　６１４は排紙方法（ステイプル、ソート、グループ）選択キーであり、記録後の用紙をステイプルで綴じることのできるステイプラが接続されている場合は、ステイプルモード、ソートモードの選択または解除ができ、仕分けトレイ（ソータ）が接続されている場合は、ソートモード、グループモードの選択または解除ができる。
　６０１は割り込みキーであり、複写中に押すとその複写が中断され、新たな複写（以下、割り込み複写と称する）可能状態となる。また、割り込み複写のモード設定中に押すと、割り込み可能状態が解除される。
　６０２は予約キーであり、予約複写の登録・解除が出来る。予約キー６０２を押すとすでに設定されている複写モードを記憶したまま、それとは異なる複写モードの設定が可能な状態となる。ここで、登録したい複写モードを設定し、設定を終了するときに予約設定キー６０３を押す。これにより、設定した複写モードがＲＡＭ上に記憶される。
　第３図において、７１１は、ＬＣＤ（液晶）タイプのメッセージディスプレイであり、複写に関する情報を表示するもので、例えば５×７ドットで１文字をなし、４０文字文メッセージと、定形変倍キー６０８，６０９、等倍キー６１０、ズームキー６１７，６１８で設定した複写倍率を表示できる。このディスプレイ７１１は半透過形液晶であって、バックライトに２色用いてあり、通常はグリーンのバックライトが点灯し、異常時とか複写不能状態時にはオレンジのバックライトが点灯する。
　７０６は等倍表示器であり、等倍を選択したときに点灯する。７０３はカラー現像器表示器であり、セピア現像器をセットすると点灯する。７１２は複写枚数表示器であり、複写枚数または自己診断コードを表示する。７０５は使用カセット表示器であり、カセット１１４、カセット１１５、デッキ２０１のいずれかが選択されているかを表示する。７０４はＡＥ表示器であり、ＡＥキー６１３によりＡＥ（自動濃度調節）を選択したときに点灯する。
　７０８は両面複写表示器であり、両面原稿から両面複写、片面原稿から両面複写のいずれかを選択したときに点灯する。
　なお、標準モードでＲＤＦ３００を使用する時では、複写枚数１枚、濃度ＡＥモード、オート用紙選択、等倍、片面原稿から片面複写の設定になる。ＲＤＦ３００を未使用時の標準モードでは複写枚数１枚、濃度マニュアルモード、等倍、片面原稿から片面複写の設定となっている。ＲＤＦ００の使用時と未使用時の差はＲＤＦ３００に原稿がセットされているかどうかで決まる。
　また、７１０は電源ランプで、電源スイッチをオンすると点灯する。
　７０１は割り込み表示器で割り込み複写のモード設定しているとき、および割り込み複写中に点灯する。
　７０２は予約登録表示器で、予約複写が登録されているときに点灯する。
　また、予約登録表示器７０２は、予約複写が登録されている時に点灯する。
　予約複写する場合には、次のようにして行う。
　ここで、予約複写とは、すでに設定済みで、複写開始待ち、または複写中の第１の複写モードとは異なる第２の複写モード、すなわち複写濃度，複写枚数，複数倍率，両面，多重等の所望の複写モードデータを操作パネル５００の各種キーにより設定して、第１の複写モードによる複写終了後に実行される第２の複写モードによる複写のことを意味する。
　まず、複写開始待ち状態または複写動作中に予約キー６０２を押すと、すでに設定してある第１の複写モードと異なる予約モードになる。この時、すでに設定してある第１の複写モードはＲＡＭ８０３（第４図参照）に記憶されている。
　予約モードになると、複写動作中であるか否かとにかかわらず操作パネル５００の各種キーにより第２の複写モードの設定が出来る。第２の複写モードデータの操作入力後、次いで、予約設定キー６０３を押すと、第２の複写モードの設定が完了する。このとき、設定された第２の複写モードはＲＡＭ８０３（第４図参照）に記憶される。
　予約複写で複写したい原稿束ＳＳは表面を上に向けて積載トレイ３２０上にセットしておく。
　積載トレイ３１０上に原稿束Ｓをセットして片面モードで複写中に上述のようにして予約複写登録された場合、通常の複写動作により最終原稿の排紙処理が終了すると、予約複写準備のための排紙処理が行われる。すなわち、積載トレイ３１０上の原稿を上カバー３７０上に排紙する。この後、積載トレイ３２０上の原稿束ＳＳから最下部の原稿を一枚ずつ分離し（予約部分離処理）、この原稿をパスＸＩ，ＸＩＩからパスＩＩＩに給紙し（予約部給紙処理）、反転処理，排紙処理を行って積載トレイ３１０上に給送する。積載トレイ３２０から積載トレイ３１０上に原稿が全て給送されたら、予約複写で設定した複写モードで複写が実行される。
Ｆ．制御装置（８００，９００）
　第４図は本実施例の制御装置８００および９００のブロック図を示す。同図において、８０１は複写機全体の制御を行うＣＰＵである。また、８０２は第５図のフローチャートに示す制御手順（制御プログラム）を記憶した読み取り専用メモリ（ＲＯＭ）であり、ＣＰＵ８０１はこのＲＯＭ８０２に記憶された制御手段に従ってバスを介して接続された各構成装置を制御する。また、８０３は入力データの記憶や作業用記憶領域等として用いる主記憶装置であるところのランダムアクセスメモリ（ＲＡＭ）である。
　また、８０４はメインモータ１１３等の負荷にＣＰＵ８０１制御信号を出力するインターフェース（Ｉ／０）であり、また８０５はセンサ１２２等の信号を入力してＣＰＵ８０１に送るインターフェースである。また８０６はキー群６０１，６０２，６０３等とディスプレイ群７０１，７０２等とを入出力制御するインターフェースである。これらインターフェース８０４，８０５，８０６としては、例えばＮＥＣの入出力回路ポートμＰＤ８２５５が使用される。
　また、９００はＲＤＦ３００の制御装置であり、ＲＯＭ，ＲＡＭを内蔵したワンチップマイクロコンピュータからなるＣＰＵ９０１を中心に構成されており、その入力ポートにレジストセンサ３４４，排紙センサ３４５，レジストセンサ３６０，原稿検知センサ３６１，リサイクルレバー３４２および３５８等が接続され、またその出力ポートにドライバＤｌ〜Ｄ９を介して分離モータ３３４，ベルトモータ３３７，搬送モータ３３９，ストッパーソラノイド３４３ａ，フラッパソレノイド３４１ａ，搬送モータ３５５，分離クラッチ３５６，給紙クラッチ３５７，ストッパーソレノイド３５９ａ等が接続されている。
　制御装置８００と制御装置９００はシリアルＩ／Ｆ８０７および９０２を介して連結されており、ＲＤＦ３００と複写機本体１００との間で制御データの授受を行っている。ＲＤＦ３００より複写機本体１００に送信されるデータは、原稿台ガラス１０１上への原稿の給紙完了を示す給紙完了信号である。
　次に、第５図を参照して第１の実施例の動作を説明する。
　まず、複写動作中（ステップＳ５−１）に予約キー６０２を押されて予約複写設定開始要求有りと判断されたら（ステップＳ５−２）、ステップＳ５−３で第２の複写モードの設定を行う。その間、ステップＳ５−４で現在複写動作中であるか否かを判断して、もし、第２の複写モード設定中に第１の複写モードによる複写動作が終了したらステップＳ５−５で第２の複写モード設定状態から、第１の複写モード設定状態となり、予約設定キー６０３を押しても予約登録はされない。すなわち、設定していたモードは自動的に第１の複写モードとなる。新たに設定された第１の複写モードによる複写を実行するには、コピーボタンを押せばよい。
　現在複写動作中（ステップＳ５−４）に予約設定キーが押されて予約複写登録要求有りと判断されると（ステップＳ５−６）、ステップＳ５−７で予約複写を登録して、第１の複写モードによる複写の終了後、第２の複写モードになる複写が実行される。
第２の実施例
　第６図は、第２の実施例を示すフローチャートである。
　まず、第１の複写モードによる複写動作中（ステップＳ６−１）に予約キー６０２が押されて予約複写設定開始要求有りと判断されると（ステップＳ６−２）、ステップＳ６−３で予約複写モードの設定を行う。その間、ステップＳ６−４で現在複写動作中であるか否かを判断して、もし、予約複写モード設定中に複写動作が終了したら、ステップＳ６−５ですでに予約登録されているか否かを判断して、別の複写モードが予約登録されていれば、ステップＳ６−６でその登録されているモードを第１の複写モードとして複写動作開始する。その間も、予約複写モード設定状態にある。
　ステップＳ６−５で登録されている予約複写が無かったら、予約複写モード設定状態から、第１の複写モード設定状態となり、予約設定キー６０３を押しても予約登録はされない。すなわち、設定していたモードは自動的に第１の複写モードとなる。この新たな第１の複写モードは、コピーボタンを押すことにより実行される。
　また、現在複写動作中（ステップＳ６−４）に予約設定キーが押されて予約複写登録要求有りと判断されると（ステップＳ６−８）、ステップＳ６−９で予約複写を登録して、予約複写モード設定状態から、第１の複写モードになる。
第３の実施例
　第７図は、第３の実施例を示すフローチャートである。
　まず、複写動作中（ステップＳ７−１）に予約キー６０２が押されて予約複写設定開始要求有りと判断されると（ステップＳ７−２）、ステップＳ７−３で第２の複写モードの設定を行う。その間、ステップＳ７−４で第１の複写モードによる複写動作中にジャムや紙無し、トナー無し等の異常が発生したか否かを判断して、もし、異常が発生したら、ステップＳ７−５で第１の複写モードとは異なる第２の複写モードの設定状態から、第１の複写モード状態になり、異常解除待ちとなる。異常解除後、コピーボタンを押して第１の複写モードを再開すると、再び第２の複写モードの設定状態になる。
　ステップＳ７−４でジャムが発生せずに、予約設定キーが押されて予約複写登録要求有りと判断されると（ステップＳ７−６）、ステップＳ７−７で予約複写を登録して、予約複写モード設定状態から、第１の複写モードになる。
　上述した本発明の実施例によれば、実行中の複写モードに後続すべき動作状態を決定する制御手段を付勢することにより、▲１▼設定中の複写モードが無効になることを避け、▲２▼設定された複写モードの複写順位を保ち、▲３▼アラームの内容を誤りなく識別することができるようになる。
　その他の本発明の実施例によれば、第１の複写モードとは異なる複写モードを設定している間に第１の複写モードによる複写が終了してしまった場合は、そのときの条件により、設定途中の複写モードを第１の複写モードとしてそのモード設定状態とするか、他に設定されている複写モードがあればそれを第１の複写モードとしてその複写を開始し、かつ、それとは異なる複写モードの設定を継続するかのいずれかに切り換えることができる。
　さらに、第１の複写モードに対して紙無し等のアラームが発生した場合には、第１の複写モードとは異なる複写モードの設定状態から抜けて、第１の複写モードによる複写状態に戻り、アラームの内容を判別することができる。
［発明の効果］
　以上述べたように本発明によれば、第１の複写モードと異なる複写モードの設定中に、第１の複写モードによる複写動作が終了した場合に、設定中の複写モードを自動的に第１の複写モードとして複写モードの設定を継続する状態にすることで、設定中だった複写モードが無効になることを避けることができる。
　また、設定中のコピーモードのほかに、すでに第１の複写モードと異なる複写モードが設定されている時には、すでに設定されている複写モードを第１の複写モードとしてその複写動作を開始して、設定中の複写モードはそのまま継続して設定できるようにしたことで、設定された複写モードの複写順位を保ち、かつ設定中のモードが無効になることがない。
　さらに、第１の複写動作中に紙無しなどのアラームが発生したときは、第１の複写モードと異なる複写モードの設定状態から抜けて、第１の複写モードによる複写状態に戻ることで、第１の複写モードのアラームに速やかに対処することができる。
【図面の簡単な説明】
　第１図は本発明を適用した複写機の全体を示す内部構成図、
　第２図は第１図に示した複写機の自動原稿送り装置部を示す拡大断面図、
　第３図は同複写機の操作パネルを示す配置図、
　第４図は同複写機に含まれる制御部のブロック構成図、
　第５図は第１の実施例の動作を示すフローチャート、
　第６図および第７図はそれぞれ第２および第３の実施例の動作を示すフローチャートである。